(57)【要約】【課題】扇子形趣味品において、複数の絵柄シート付き骨を扇子状に組み合わせて開閉できるようにした場合において、全開状態から閉じる際に絵柄シートが元の位置に正確に収まるようにすることである。【解決手段】絵柄シート４が、骨１が扇形に全開された状態において隣接したものと部分的な重なり部１９を有する大きさに形成された構成とした。【選択図】図１
2007325792.tif 000002
【特許請求の範囲】
【請求項１】
扁平な骨の一端部に要部分（２）が設けられるとともに、他端部に該骨（１）の面と平行な面を有する絵柄シート（４）が設けられ、複数本の前記骨（１）を重ねるとともに各要部分（２）に要軸（３）を挿通して各骨（１）を扇形に開閉できるように組み合わせてなり、前記絵柄シート（４）は各骨（１）が扇形に全開された状態において隣接したものと部分的な重なり部（１９）を有する扇子形趣味品。
【請求項２】
前記要軸（３）が雄ねじと雌ねじの結合構造からなり、前記要軸（３）の一端部に設けたツマミ（１５）を把持してねじ部分の結合・分離操作ができるようにした請求項１に記載の扇子形趣味品。
【請求項３】
前記要軸（３）が、雄ねじ軸（１１）とこれにねじ結合される雌ねじ軸（１２）、前記雄ねじ軸に（１１）嵌合される大きさの内径を有すると共に前記雌ねじ軸（１２）の外径と同一の大きさの外径を有するリング状のスペーサ（１３）からなり、前記スペーサ（１３）は前記雄ねじ軸（１１）が雌ねじ軸（１２）から引き出された部分に嵌合され、これにより前記要軸（３）の長さが可変となる請求項２に記載の扇子形趣味品。
【請求項４】
前記要軸（３）が、軸方向の一端面に雄ねじ部（３１）、他端面に雌ねじ部（３２）が形成された複数のねじ部材（３３）、前記雄ねじ部（３１）に結合される雌ねじキャップ（３５）と前記雌ねじ部（３２）に結合される雄ねじキャップ（３４）からなり、相互にねじ結合させるねじ部材（３３）の数によって前記要軸（３）の長さが可変となる請求項２に記載の扇子形趣味品。
【請求項５】
前記骨（１）の先端にその骨（１）の部分より広い幅をもった絵柄シート保持面（７）が設けられた請求項１から４のいずれかに記載の扇子形趣味品。
【請求項６】
前記絵柄シート（４）の前部又は一部が透明又は半透明であり、該絵柄シート（４）相互の重なり部（１９）において一方の絵柄シート（４）から他方の絵柄シート（４）を透視できる請求項１から５のいずれかに記載の扇子形趣味品。
【請求項７】
前記各骨（１）の要部分（２）における各対向面にそれぞれ相互に軸方向反対向きに突き出した一定厚みの扇形凸部（８）（８’）が各骨（１）の中心線Ｃを基準に対称形に形成され、前記各扇形凸部（８）（８’）の一端辺（９）（９’）の前記中心線Ｃに対する角度αが他方の端辺（１０）（１０’）の前記中心線Ｃに対する角度βと同一又は異なった大きさに形成され、前記骨（１）の一定方向への扇形開放により前記角度αをもった端辺（９）（９’）相互が係合して骨（１）相互がその角度αをもって開放状態に保持され、前記骨（１）の他方向への扇形開放により前記角度βをもった端辺（１０）（１０’）相互が係合して骨（１）相互がその角度βをもって開放状態に保持されるようにした請求項１から６のいずれかに記載の扇子形趣味品。
【発明の詳細な説明】
【技術分野】
【０００１】
この発明は、扇形に開閉できるように組み合わせた複数本の骨と、各骨に取付けられた絵柄シートとからなり、その絵柄シート付きの骨を他の絵柄シート付き骨と自由に取替えることができる絵柄シート取替式の扇子形趣味品に関するものである。その絵柄シートの組み合わせを楽しみ、好みに応じて取替え、さらに他人が所有する同類の絵柄シート付き骨と交換するなどして自由な組み合わせを持たせ、これを扇子形に開閉して鑑賞する趣味品、玩具、室内装飾品、或いはあおぎ具等として用いることができるものである。
【背景技術】
【０００２】
複数の骨に異なった絵柄シートを一体に設けた趣味品的な扇子が従来から知られている（特許文献１）。この扇子は３枚の杓子形の骨の一端部を要軸により扇形に開閉可能に結合し、各骨の面に漫画のキャラクターなどの絵柄を表示したものであり、杓子形の骨の楕円部分に開口を設け、その開口の内周縁に絵柄シートを嵌合固定する構造が採用されている。
【０００３】
通常一般の扇子は、扇形の一枚の地紙に絵柄が施されたものであるが、前記の扇子は骨ごとに独立した絵柄が施されたものである。このため、複数の独立した絵柄が扇子の開閉に伴って表れる趣味的な面白さがある。この扇子は各骨が独立しているので、扇子の開閉方向に制限がなく、原則的には左右いずれの方向にも開閉でき、また各絵柄が重なったり、折り目が付いたりすることがなく、骨ごとの絵柄の全体を鑑賞できる構造になっている。
【０００４】
一方、要軸を比較的簡単に外すことができるようにした扇子が知られている（特許文献２）。通常の構造の扇子において、その地紙に使用者が絵や文字等を描こうとした場合に、地紙の波付け部分の存在が邪魔になることから、要軸を比較的簡単に外せるようにしたものである。この場合の要軸は、雄ねじ軸と雌ねじ軸の組み合わせからなり、そのねじ結合を外すことにより、各骨の要部分相互が分離され地紙が平坦に拡がるようになっている。
【特許文献１】実登第３０２９８２６号公報
【特許文献２】実登第３０５５１６３号公報
【発明の開示】
【発明が解決しようとする課題】
【０００５】
前記特許文献１に開示された扇子は、絵柄シートを杓子形の骨に設けた開口の内周縁に嵌合固定する構造であるので、各骨の厚さを一定以上に大きく形成する必要がある。また、隣接する絵柄相互の部分的な重なりを防止しその全体が見えるようにする必要もある関係上、全部で３枚程度の骨を組み合わせることができる程度のものである。また他の絵柄をもった骨と交換することは考慮されておらず、その数の増減を図ることもできないので、絵柄の多様性に欠けるところがある。また、絵柄を取付けるため骨に開口を設け、その開口に合わせて絵柄シートを製作し、さらにその絵柄シートを開口の内周縁に貼り付ける必要がある等、構造上複雑であり、製作コストが高くつく問題もある。
【０００６】
このような問題を解決するために、骨を前記の場合より細く、かつ薄く形成し、その先端部に絵柄シートを直接貼り付ける構成をとることが一応考えられる。しかし、仮にこのような構成を採ったとしても、骨が薄いこと、絵柄がシート状であることから、前記のように各絵柄シートが重なることのないように全開した後骨を閉じようとした際に、骨や絵柄シートの撓みの影響で、隣接する絵柄シートの、例えば上面に戻るのが正常な収まり方であるにも拘わらず下面に戻ってしまうというような不正常な収まり方をする不都合が起こり易い。
【０００７】
また、特許文献２に開示された雌雄ねじ軸の組み合わせでなる要軸を前記特許文献１の絵扇子の要軸として用いることにより、骨の交換を容易にする構造を一応考えることができるが、要軸の長さは一定であるので、骨の増減を可能とする構造を得ることができない。
【０００８】
そこで、この発明は、絵柄シートの数を従来のものより増加し、かつ絵柄シートのついた骨の取替が容易にできるようにして絵柄シートの多様性を増すとともに、扇形の開閉が円滑であるようにし、また必要に応じて骨の数を増加して一層絵柄シートの多様性が発揮できるようにした扇子形趣味品を提供することを課題とする。
【課題を解決するための手段】
【０００９】
前記の課題を解決するために、この発明に係る扇子形趣味品は、扁平な骨の一端部に要部分２が設けられるとともに、他端部に該骨１の面と平行な面を有する絵柄シート４が設けられ、複数本の前記骨１を重ねるとともに各要部分２に要軸３を挿通して各骨１を扇形に開閉できるように組み合わせてなり、前記要軸３が雌ねじ軸１２とこれにねじ結合される雄ねじ軸１１により構成され、前記絵柄シート４は各骨１が扇形に全開された状態において隣接したものと部分的な重なり部１９を有する構成とした。
【００１０】
上記構成の扇子形趣味品は、一端部に要部分２を設けた扁平な骨１の他端部に該骨１の面と平行な面を有する絵柄シート４が設けられたものであるので、各骨１及びこれと一体に設けられた絵柄シート４の厚さは従来の場合より薄い形状となり、その分だけ骨１の数、絵柄シート４の数を増やすことができる。また、各絵柄シート４は全開時において部分的な重なり部１９を有する。このため閉じる際に骨１と絵柄シート４は必ず元の位置に収まるので、円滑に開閉することができる。
【００１１】
また、前記要軸３が雄ねじと雌ねじの結合構造からなり、前記要軸３の一端部に設けたツマミ１５を把持してねじ部分の結合・分離操作ができるようにした構成とすることにより、前記要軸３の結合・分離が容易に行うことができ、またその長さを変えることにより骨１の数、絵柄シート４の数を増加させ、また増加させたものを減少させることができる。
【００１２】
雄ねじと雌ねじの結合構造としては、雄ねじ軸１１とこれにねじ結合される雌ねじ軸１２、前記雄ねじ軸に１１嵌合される大きさの内径を有すると共に前記雌ねじ軸１２の外径と同一の大きさの外径を有するリング状のスペーサ１３からなり、前記スペーサ１３は前記雄ねじ軸１１が雌ねじ軸１２から引き出された部分に嵌合され、これにより前記要軸３の長さが可変となる構造がある。
【００１３】
また、その他のねじ結合構造として、軸方向の一端面に雄ねじ部３１、他端面に雌ねじ部３２が形成された複数のねじ部材３３、前記雄ねじ部３１に結合される雌ねじキャップ３５と前記雌ねじ部３２に結合される雄ねじキャップ３４からなり、相互にねじ結合させるねじ部材３３の数によって前記要軸３の長さが可変となる構造もある。
【００１４】
なお、絵柄シート４の全部又は一部を半透明又は透明に形成することにより、重なり部分１９を透視することができる。
【００１５】
また、前記各骨１の要部分２における各対向面にそれぞれ相互に軸方向反対向きに突き出し厚みを加えた扇形凸部８、８’が各骨１の中心線Ｃを基準に対称形に形成され、前記各扇形凸部８、８’の一端辺９、９’の前記中心線Ｃに対する角度αが他方の端辺１０、１０’の前記中心線Ｃに対する角度βと同一又は異なった大きさに形成され、前記骨１の一定方向への扇形開放により前記角度αをもった端辺９、９’相互が係合して骨１相互がその角度αをもって開放状態に保持され、前記骨１の他方向への扇形開放により前記角度βをもった端辺１０、１０’相互が係合して骨１相互がその角度βをもって開放状態に保持されるようにした構成をとることができる。前記の角度α、βの大きさを適宜設定することにより、骨１を右開きした場合の全開角度、左開きした場合の全開角度を適宜定めることができる。
【発明の効果】
【００１６】
この発明の扇子形趣味品は、従来の趣味的な扇子に比べ骨を細く、かつ薄く形成することができるので、５〜１０数枚程度の絵柄シートの組み合わせが可能となり、絵柄の多様性を発揮することができる。また、扇子を閉じる際に各絵柄シートは必ず元の位置に収まるので、円滑に開閉することができる。また、要軸にスペーサを組み合わせその数を変えることにより要軸の長さを変えることができるので、絵柄シートの数の増減を図ることができる。さらに要軸の結合・分離が容易に行うことができ、好みに応じた絵柄シートとの取替え、他人の絵柄シートとの交換等の趣味的な楽しみを味わうことができる。また、要軸の長さを変えることにより絵柄シートの数を増減することも容易にできる。
【発明を実施するための最良の形態】
【００１７】
以下、この発明の実施例を添付図面に基づいて説明する。
【００１８】
図１に示したように、実施例の扇子形趣味品は、複数本の扁平板状のプラスチック製の骨１、各骨１の扁平面を重ねその要部分２を開閉自在に結合した要軸３、各骨１の先端部に設けた紙又はプラスチック製の絵柄シート４との組み合わせからなる。
【００１９】
図２に示したように、各骨１はプラスチック製であり、扁平板状の骨本体部５の一端（下端）に、これと同一面において円形の要部分２が設けられ、その要部分２の中心に軸孔６が設けられる。また、骨本体部５の他端（上端）に、該骨本体部５と同一面内においてこれより幅の広い同一厚さの円板形の絵柄シート保持面７が設けられる。
【００２０】
前記の要部分２は隣接した他の骨１の要部分２と相互に対面している。その一方の対向面に軸方向に面状に突き出した一定厚さの扇形凸部８が骨本体部５の中心線Ｃ（図３ａ参照）の片側に形成される。扇形凸部８の突き出し量ａ（図４参照）は、骨本体部５の厚さと同程度である。
【００２１】
この扇形凸部８は、図３（ａ）に示したように、径方向の一方の端辺９と他方の端辺１０を有し、端辺９は要部分２の外周を超え骨本体部５に達する。端辺９は、端辺１０と同様に要部分２の範囲内に形成するだけでもよいが、この実施例においては、図３（ａ）に示したように、延長部９ａが骨本体部５の一部に達している。そのため、要部分２上の扇形の部分の端辺９側に延長部９ａを持った長三角形部分を加えた形状となっている。端辺９に延長部９ａを設けたことによって全体の形状が長くなり、右開きの場合の係合強度を高めるものである。
【００２２】
要部分２の他方の対向端面においては、前記中心線Ｃの他方の片側において前記の扇形凸部８と対称形の扇形凸部８’が形成される。この扇形凸部８’は、前記端辺９（延長部９ａを含む。以下同じ。）、１０の対称位置にそれぞれ端辺９’（延長部９’ａを含む。以下同じ。）と端辺１０’を有する。前記端辺９、９’の中心線Ｃに対する角度をαで示し、他方の端辺１０、１０’の角度をβで示す。
【００２３】
要部分２の対向面において相互に前記のような扇形凸部８、８’を設けたものを要軸３の周りにおいて中心線Ｃで揃えて相互に軸方向に重ね合わせると、要部分２においては、扇形凸部８、８’が相互に他方の平坦な要部分２に接し、中心線Ｃの両側において対称形に存在する（図３（ａ）参照）。
【００２４】
なお、骨１のうち、左右両端に位置するものにおいては、前記の扇形凸部８、８’は、内面側にのみ形成される。これらは、同一構造のものの向きを変えるだけでよい。上記以外の中間部分の各骨１は軸方向の両面にそれぞれ扇形凸部８、８’が対称形に形成された同一構造のものである。
【００２５】
要部分２は上記のような構成であるので、例えば、図２の右端のものとその内側に存在する２枚の骨１について見ると、右端の骨１が他方の骨１に対して角度αだけ右回転すると、図３（ｂ）に示したように、前者の端辺９’、９’ａが後者の端辺９、９ａに係合されて最大開き角度が２αとなる。逆に、右端の骨１が左回転すると、図３（ｃ）に示したように、前者の端辺１０’、１０’ａが後者の端辺１０、１０ａに係合されて最大開き角度が２βとなる。
【００２６】
なお、要部分２においては、軸方向に扇形凸部８、８’が介在されるので、骨本体部５や絵柄シート保持面７の部分においては、前記軸方向にすき間ａ（図４参照）が存在する。
【００２７】
前記の要軸３は、図２及び図４に示したように、雌ねじ軸１２の両端部にねじ結合される一対の雄ねじ軸１１、１１’及び必要に応じてこれらに組み合わせられる単数又は複数のリング状スペーサ１３からなる。一方の雄ねじ軸１１は他方の雄ねじ軸１１’より長く形成され、また一端部に設けたツバ部１４にツマミ１５が設けられる。そのツマミ１５に挿通した飾り鎖１６に前記のスペーサ１３が取外し可能に挿通される。他方の雄ねじ軸１１’はツバ部１４’を有し、雌ねじ軸１２の一端部の閉塞ねじとして用いられる。
【００２８】
図４に示したように、一端に前記の雄ねじ軸１１’をねじ結合した雌ねじ軸１２を各骨１の要部分２の軸孔６に挿通し、反対側から雄ねじ軸１１をねじ結合するとともにツマミ１５を操作して締め付ける。これによりすべての骨１（図示の場合６本）が要軸３の周りにおいて扇形に開閉可能に組み合わされる。
【００２９】
前記の絵柄シート４は、プラスチックシートや紙シートにより形成され、図５（ａ）に示したように、絵柄シート保持面７の片面に接着される。また、図５（ｂ）に示したように、２枚のシートを合わせて下端開放の袋部１８が形成されたものは、絵柄シート保持面７にその袋部１８が挿入され接着一体化される。すべての骨１を最大限に開放した場合でも、隣接する絵柄シート４は相互に部分的な重なり部１９（図１参照）が存在するように、骨１の開き角に応じて絵柄シート４の大きさが設定される。袋部１８を有するタイプは、絵柄シート４の表裏両面に絵柄２０（図１参照）を施すことができる。
【００３０】
前記の重なり部１９において下側になる絵柄部分が隠されて見えなくなる点を解決するために、絵柄シート４をプラスチックシートで形成し、その全部又は重なり部１９の部分を半透明又は透明に形成することが望ましい。不透明であっても差し支えない場合は、絵柄シート４は適用な厚さをもった紙シートでもよい。絵柄シート４に施される絵柄２０は、漫画のキャラクター、プロ野球選手や歌手などのブロマイド、セットになった風景画（例、近江八景）等自由なものを選択することができる。
【００３１】
なお、前記絵柄シート保持面７の形状は、前述のような円形のもの以外に、図６（ａ）から（ｃ）に示したような、星型、ハート型、逆三角形型などがある。
【００３２】
図７は、絵柄シート４を省略した状態の骨組みを示したものであり、図７（ａ）は全開状態の正面図、同（ｂ）は同じ全開状態の左側面図、同（ｃ）は骨１の正面図、同（ｄ）は骨１の背面図である。図８（ａ）は、図７（ａ）の要部分２の一部省略拡大底面図、図８（ｂ）は骨１を全閉した状態の要部分２の拡大底面図である。
【００３３】
図９は、スペーサ１３を２個用い、骨付きの柄絵柄シート４を２枚増加した例である。この場合、雌ねじ軸１２は６本の骨１に対応した最短のものである。雄ねじ軸１１に予め２個のスペーサ１３を嵌合させ、８本の骨１のうちの６本のものの軸孔に雌ねじ軸１２を挿通し、さらに加えるべき２本の骨１を重ねた上で他端から前記の雄ねじ軸１１を挿入して雌ねじ軸１２に対してねじ結合を行うと同時にスペーサ１３を前記２本の骨１の軸孔６に嵌合させる。この場合のスペーサ１３は、１本の骨１の厚さに相当する幅のものを基本にしているが、その基本単位の２倍のもの、３倍のもの等を用いることができる。
【００３４】
また、図１０（ａ）（ｂ）に示したような構造によっても要軸３の長さを変え、骨１の数を増減することができる。即ち、この場合の要軸３は、２個のねじ部材３３と、雄ねじキャップ３４及び雌ねじキャップ３５の組み合わせからなる。前記のねじ部材３３は、軸方向の一端面に雄ねじ部３１、他端面に雌ねじ部３２が形成されたものであり、図示の場合は、例えば３本の骨１について１個のねじ部材３３を用いる。骨１の数に応じて所要数のねじ部材３３の雌雄ねじ部３１、３２相互をねじ結合して使用する。雄ねじキャップ３４は、雌ねじ部３２にねじ結合され、図示の左端の要部分２に締め付けられる。また、雌ねじキャップ３５は雄ねじ部３１にねじ結合され、右端の要部分２に締め付けられる。雌ねじキャップ３５にツマミ１５が設けられる。
【００３５】
実施例の扇子形趣味品は以上のようなものであり、趣味品として用いる場合は扇子状に開いて絵柄シート４の絵柄を鑑賞する。このままの状態で室内装飾品として用いてもよい。また通常の扇子と同様にあおぎ具として用いることもできる。この右開きの全開状態においては、図３（ｂ）に示したように、隣接する要部分２の対向面における扇形凸部８、８’の端辺９、９’が係合して、骨１相互間の開放角度を２αに維持する。また、左開きの全開状態においては、図３（ｃ）に示したように、端辺１０、１０’が係合して、骨１相互間の開放角度を２βに維持する。
【００３６】
左開きを禁止する場合は、端辺１０、１０’の角度βをゼロに設定する。また、角度βがゼロを超え、α未満の数値になるよう構成することにより、左開きしたときの開き角度を右開きした場合に比べ狭くすることができる。骨１の数が増え、全開時に１８０度を超えるようになると、扱いに不便となることがあるので、そのような場合は、左開きに開放して全開角度を狭くするような使用が可能となる。
【００３７】
また、雄ねじ軸１１のツマミ１５を操作して雌ねじ軸１２から外し、絵柄シート４と一体の骨１を他の同類のものと取替えることができる。さらに、図９のようにスペーサ１３を適宜数追加又は削除することにより、また図１０のように、ねじ部材３３の数を変えることにより、骨付き絵柄シート４の数を増減させることもできる。
【図面の簡単な説明】
【００３８】
【図１】実施例の全開状態の正面図
【図２】同上の一部省略分解斜視図
【図３】（ａ）同上の骨の一部拡大正面図、（ｂ）同上の右開きの説明図、（ｃ）同上の左開きの説明図
【図４】同上の閉じた状態の断面図
【図５】（ａ）（ｂ）同上の絵柄シート部分の拡大断面図
【図６】（ａ）〜（ｃ）同上の絵柄シート保持面の他の形状を示す一部拡大正面図
【図７】（ａ）同上の骨組部分の全開状態の正面図、（ｂ）（ａ）図の一部省略左側面図、（ｃ）同上の骨の拡大正面図、（ｄ）同上の骨の拡大背面図
【図８】（ａ）図７（ａ）の一部省略拡大底面図、（ｂ）図７（ａ）の全閉時の拡大底面図
【図９】要軸の長さを変えた状態の一部拡大断面図
【図１０】（ａ）要軸の長さを変えた他の状態の一部拡大断面図、（ｂ）（ａ）図のねじ部材の断面図
【符号の説明】
【００３９】
１  骨
２  要部分
３  要軸
４  絵柄シート
５  骨本体部
６  軸孔
７  絵柄シート保持面
８、８’  扇形凸部
９、９’  端辺
１０、１０’  端辺
１１、１１’  雄ねじ軸
１２  雌ねじ軸
１３  スペーサ
１４、１４’  ツバ部
１５  ツマミ  
１６  飾り鎖
１８  袋部
１９  重なり部
２０  絵柄
３１  雄ねじ部
３２  雌ねじ部
３３  ねじ部材
３４  雄ねじキャップ
３５  雌ねじキャップ
【図１】
2007325792.tif 000003
【図２】
2007325792.tif 000004
【図３】
2007325792.tif 000005
【図４】
2007325792.tif 000006
【図５】
2007325792.tif 000007
【図６】
2007325792.tif 000008
【図７】
2007325792.tif 000009
【図８】
2007325792.tif 000010
【図９】
2007325792.tif 000011
【図１０】
2007325792.tif 000012